(57)【要約】【課題】  クリップ付き筆記具を、被挟持物に対し、より強固に掛止する。【解決手段】  クリップ本体３０における支点部Ｐよりも後側部分が付勢部材２０の付勢力に抗して軸筒１０側へ押動されることで、同クリップ本体３０における支点部Ｐよりも前側へ延設された前側延設部３０ａが軸筒外周面から引き離されるようにした筆記具用クリップ構造において、クリップ本体３０の前側延設部３０ａの裏面には軸筒側へ突出する複数の玉部３３，３４，３５が設けられ、この複数の玉部３３，３４，３５は、前側延設部３０ａにおける前後方向の中央部Ｘよりも後側に位置している。【選択図】  図２
2019107778.tif 000002
【特許請求の範囲】
【請求項１】
クリップ本体における支点部よりも後側部分が付勢部材の付勢力に抗して軸筒側へ押動されることで、同クリップ本体における支点部よりも前側へ延設された前側延設部が軸筒外周面から引き離されるようにした筆記具用クリップ構造において、
前記クリップ本体の前記前側延設部の裏面には軸筒側へ突出する玉部が設けられ、この玉部は、前記前側延設部における前後方向の中央部よりも後側に位置していることを特徴とする筆記具用クリップ構造。
【請求項２】
クリップ本体における支点部よりも後側部分が付勢部材の付勢力に抗して軸筒側へ押動されることで、同クリップ本体における支点部よりも前側へ延設された前側延設部が軸筒外周面から引き離されるようにした筆記具用クリップ構造において、
前記クリップ本体の前記前側延設部の裏面には軸筒側へ突出する複数の玉部が設けられ、これら複数の玉部には、前記前側延設部における前後方向の中央部よりも後側に位置する玉部と、この玉部よりも前側に位置する玉部とが含まれることを特徴とする筆記具用クリップ構造。
【請求項３】
前記玉部の突端に、軸筒外周面に沿う凹曲面部を有することを特徴とする請求項１又は２記載の筆記具用クリップ構造。
【請求項４】
前記玉部は、前記前側延設部の裏面から後方斜め軸筒側へ延設されたガイド傾斜面と、前記ガイド傾斜面の後端部から前記前側延設部の裏面まで延設された掛止面とを有し、
前記掛止面は、前記前側延設部の裏面から直角に突出する面、又は前記前側延設部の裏面から後方斜め軸筒側へ傾斜する面であることを特徴とする請求項１〜３何れか１項記載の筆記具用クリップ構造。
【請求項５】
前記複数の玉部のうち、前側に位置する玉部は、その後側に位置する玉部よりも、前記クリップ本体の裏面からの突出高さが大きいことを特徴とする請求項１〜４何れか１項記載の筆記具用クリップ構造。
【請求項６】
軸筒外周面には、前記複数の玉部の各々に嵌り合う凹部が設けられていることを特徴とする請求項１〜５何れか１項記載の筆記具用クリップ構造。
【発明の詳細な説明】
【技術分野】
【０００１】
本発明は、筆記具の軸筒外周側にクリップ本体を装着するようにした筆記具用クリップ構造に関するものである。
【背景技術】
【０００２】
従来、この種の発明には、例えば特許文献１に記載されるように、クリップ本体における支点部よりも後側部分が付勢部材の付勢力に抗して軸筒側へ押動されることで、同クリップ本体における支点部よりも前側の部分が軸筒外周面から引き離されるようにした開閉操作機能付きの筆記具用クリップがある。
特に、特許文献１には、クリップ本体の前端側に設けられる二つの玉部や、これら複数の玉部に嵌り合う軸筒側の逃がし凹部等の記載があり、これらの構成によって、クリップ本体と軸筒の間に挟み込まれた被挟持物が外れ難くしている。
【先行技術文献】
【特許文献】
【０００３】
【特許文献１】特開２００５−１４４９３号公報
【発明の概要】
【発明が解決しようとする課題】
【０００４】
しかしながら、上記従来技術においても、例えば、運送業者の運搬員等が肩のポケットに筆記具を掛けて作業する場合には、運搬員の激しい動きや、運搬物との接触等に起因して、筆記具がポケットから外れてしまうおそれがある。
【課題を解決するための手段】
【０００５】
このような課題に鑑みて、本発明は、以下の構成を具備するものである。
クリップ本体における支点部よりも後側部分が付勢部材の付勢力に抗して軸筒側へ押動されることで、同クリップ本体における支点部よりも前側へ延設された前側延設部が軸筒外周面から引き離されるようにした筆記具用クリップ構造において、前記クリップ本体の前記前側延設部の裏面には軸筒側へ突出する玉部が設けられ、この玉部は、前記前側延設部における前後方向の中央部よりも後側に位置していることを特徴とする筆記具用クリップ構造。
【発明の効果】
【０００６】
本発明は、以上説明したように構成されているので、クリップ付き筆記具を、被挟持物に対し、より強固に掛止することができる。
【図面の簡単な説明】
【０００７】
【図１】本発明に係る筆記具用クリップ構造の一例を備えた筆記具を示す側面図である。
【図２】同筆記具用クリップ構造を拡大して示す側面図であり、要部を断面で示している。
【図３】図２における(III)-(III)線に沿う切断端面図であり、軸筒内の構造を省略している。
【図４】同クリップ本体を示す裏面図である。
【図５】本発明に係る筆記具用クリップ構造の他例を示す側面図であり、要部を断面で示している。
【図６】図５の筆記具用クリップ構造において、被挟持物を挟んだ状態を示す側面図であり、要部を断面で示している。
【図７】本発明に係る筆記具用クリップ構造の他例を示す側面図であり要部を断面で示している。
【発明を実施するための形態】
【０００８】
本実施の形態では、以下の特徴を開示している。
第１の特徴として、クリップ本体における支点部よりも後側部分が付勢部材の付勢力に抗して軸筒側へ押動されることで、同クリップ本体における支点部よりも前側へ延設された前側延設部が軸筒外周面から引き離されるようにした筆記具用クリップ構造において、前記クリップ本体の前記前側延設部の裏面には軸筒側へ突出する玉部が設けられ、この玉部は、前記前側延設部における前後方向の中央部よりも後側に位置している。
【０００９】
第２の特徴として、クリップ本体における支点部よりも後側部分が付勢部材の付勢力に抗して軸筒側へ押動されることで、同クリップ本体における支点部よりも前側へ延設された前側延設部が軸筒外周面から引き離されるようにした筆記具用クリップ構造において、前記クリップ本体の前記前側延設部の裏面には軸筒側へ突出する複数の玉部が設けられ、これら複数の玉部には、前記前側延設部における前後方向の中央部よりも後側に位置する玉部と、この玉部よりも前側に位置する玉部とが含まれる。
【００１０】
第３の特徴として、前記玉部の突端に、軸筒外周面に沿う凹曲面部を有する（図３参照）。
【００１１】
第４の特徴として、前記玉部は、前記前側延設部の裏面から後方斜め軸筒側へ延設されたガイド傾斜面と、前記ガイド傾斜面の後端部から前記前側延設部の裏面まで延設された掛止面とを有し、前記掛止面は、前記前側延設部の裏面から直角に突出する面、又は前記前側延設部の裏面から後方斜め軸筒側へ傾斜する面である。
【００１２】
第５の特徴として、前記複数の玉部のうち、前側に位置する玉部は、その後側に位置する玉部よりも、前記クリップ本体の裏面からの突出高さが大きい（図５及び図６参照）。
【００１３】
第６の特徴として、軸筒外周面には、前記複数の玉部の各々に嵌り合う凹部が設けられている（図７参照）。
【００１４】
なお、後述する実施態様では、以下の構成要件のみを必須とした発明も開示している。
クリップ本体における支点部よりも後側部分が付勢部材の付勢力に抗して軸筒側へ押動されることで、同クリップ本体における支点部よりも前側へ延設された前側延設部が軸筒外周面から引き離されるようにした筆記具用クリップ構造において、前記クリップ本体の前記前側延設部の裏面には軸筒側へ突出する複数の玉部が設けられ、前記複数の玉部のうち、前側に位置する玉部は、その後側に位置する玉部よりも、前記クリップ本体の裏面からの突出高さが大きいことを特徴とする筆記具用クリップ構造（図５及び図６参照）。
この筆記具用クリップ構造によれば、被挟持物を挟持した際に、全ての玉部を略均等に被挟持物に圧接することができ、ひいては、筆記具が被挟持物から外れてしまうのを効果的に防ぐことができる。
【００１５】
次に、上記特徴を有する具体的な実施態様について、図面に基づいて詳細に説明する。以下に示す実施態様において、「軸筒軸方向」とは、軸筒の軸心（中心線）が延びる方向を意味する。また、「軸筒径方向」とは、前記軸筒軸方向に略直交する方向を意味する。
【００１６】
＜第１の実施態様＞
図１〜図４は、本発明に係る第１の実施態様である筆記具用クリップ構造１を備えた筆記具Ａを示す。
この筆記具Ａは、クリップ本体３０における支点部Ｐよりも後側部分が付勢部材２０の付勢力に抗して軸筒１０側へ押動されることで、同クリップ本体３０における支点部Ｐよりも前側の部分（前側延設部３０ａ）を軸筒１０の外周面から引き離すように構成された出没式ボールペンである。
なお、図中、符合２１は、軸筒１０の後端部から後方へ突出するノック部である。また、符合２２は、軸筒１０内のボールペンリフィールの前端の筆記部であり、ノック部２１が前方へ押される操作により軸筒１０前端から前方へ突出する。
【００１７】
図２に示す軸筒１０は、前後端部を開口した長尺筒状の部材であり、例えば、複数の筒状部材を軸方向に接続した態様や、単数の長尺筒体からなる態様とすればよい。
図示例の軸筒１０は、その後端側に、クリップ支持部１１と、付勢部材係止部１２を有する。
【００１８】
クリップ支持部１１は、軸筒１０の後端側外周面から径方向外側へ突出しており、その突端寄りに、後述するクリップ本体３０を回動可能に支持する枢支部１１ａを有する。この枢支部１１ａは、図示例によれば円筒面に沿う内面を有する凹部であり、クリップ本体３０に対し凹凸状に嵌り合って、クリップ本体３０を回動させる支点部Ｐを構成する。
【００１９】
付勢部材係止部１２は、後述する付勢部材２０の挿入し嵌合し係止する有底穴状に形成される。この付勢部材係止部１２は、付勢部材２０を係止するものであれば、図示例以外の態様とすることが可能である。
【００２０】
付勢部材２０は、側面視Ｕ字状の板バネであり、その一端側を付勢部材係止部１２に挿入し係止し、その他端側とクリップ支持部１１の間に、クリップ本体３０の被枢支部３１を挟み込んで、クリップ本体３０を閉鎖方向へ付勢している。
【００２１】
クリップ本体３０は、軸筒１０の軸方向に沿う長尺状の部材であり、支点部Ｐを構成する被枢支部３１と、支点部Ｐ（枢支部３１）よりも後方側に位置する操作片部３２と、支点部Ｐよりも前側に位置する前側延設部３０ａと、この前側延設部３０ａの裏面から軸筒１０側へ突出する複数の玉部３３，３４，３５とを一体に有している。
【００２２】
被枢支部３１は、クリップ本体３０の支点部Ｐよりも後側の凹状空間内に設けられる。すなわち、クリップ本体３０の後側は、図２及び図４等に示すように、軸筒側を開口して前後方向へ延設された凹状に形成され、この凹状の空間内に、後方へ向かう突片状の被枢支部３１が設けられる。
この被枢支部３１は、軸筒１０側へ突出する被枢支突起３１ａを有する。この被枢支突起３１ａは、円筒面状の外面を有し、軸筒１０側の枢支部１１ａに嵌り合って支点部Ｐを構成する。
なお、図中、符合３２ａは、操作片部３２を軸筒径方向へ貫通する孔である。この貫通孔３２ａは、付勢部材２０の組付性を向上している。他例としては、この貫通孔３２ａを省くことも可能である。
【００２３】
操作片部３２は、支点部Ｐよりも後方へ突出して構成される。この操作片部３２が、付勢部材２０の付勢力に抗する外力により軸筒径方向の内側へ押されて軸筒１０外周面に近づくと、前側延設部３０ａが軸筒１０の外周面から径方向外側へ引き離される。
【００２４】
前側延設部３０ａは、支点部Ｐよりも前側の部分である。この前側延設部３０ａの裏面は、図２の一例によれば、軸筒１０の外周面に対し略平行に設けられる。
そして、この前側延設部３０ａの裏面には、その前後方向の中央部Ｘ（詳細には枢支部１１ａ前端部分とクリップ本体３０最前端部分との間の中央部分）の前後にわたって軸筒側へ突出する複数の玉部３３，３４，３５が設けられる。
【００２５】
これら複数の玉部には、前側延設部３０ａにおける前後方向の中央部Ｘよりも前側に位置する前側玉部３３と、中央部Ｘに位置する中央玉部３４と、中央部Ｘよりも後側に位置する後側玉部３５とが含まれる。
【００２６】
これら複数の玉部３３，３４，３５は、何れも同形状である。そして、各玉部３３（３４又は３５）は、前側延設部３０ａの裏面から後方斜め軸筒１０側へ延設されたガイド傾斜面ａと、ガイド傾斜面ａの後端部から前側延設部３０ａの裏面まで延設された掛止面ｂとを有する側面視三角形状に形成される。
また、各玉部３３（３４又は３５）の突端には、図３に示すように、軸筒外周面に沿う凹曲面部ｃが設けられる。
【００２７】
ガイド傾斜面ａは、クリップ本体３０と軸筒１０の間に、その前方側から被挟持物Ｍがスムーズに挟み込まれるように、適宜な傾斜角度に形成される。
また、掛止面ｂは、図示例によれば、前側延設部３０ａの裏面から軸筒径方向に沿って直角に突出する面であり、クリップ本体３０と軸筒１０の間に挟み込まれた被挟持物Ｍが前方へ外れ難くする。この掛止面ｂの他例としては、前側延設部３０ａの裏面から後方斜め軸筒側へ傾斜する面（図示せず）としてもよい。
また、凹曲面部ｃは、図３に示す一例によれば、軸筒１０の外周面と略同じ曲率の凹曲面状に形成される。この凹曲面部ｃによれば、クリップ本体３０と軸筒１０外周面との間に、被挟持物Ｍが軸筒周方向に沿って挟み込まれる。
【００２８】
図示例の各玉部３３（３４又は３５）は、図４に示すように、クリップ幅方向に間隔を置いた二つの三角片部ａ１，ａ１と、これら二つの三角片部ａ１，ａ１の後端部を接続する垂直片部ｂ１とから構成され、各三角片部ａ１の前後にガイド傾斜面ａと掛止面ｂを有し、垂直片部ｂ１の突端に凹曲面部ｃを有する。
なお、各玉部３３（３４又は３５）は、図示例のものに限定されず、例えば、ガイド傾斜面ａ、掛止面ｂ及び凹曲面部ｃを有する三角柱状に形成することも可能である。
【００２９】
前側玉部３３は、図２に示すように、前側延設部３０ａの中央部Ｘよりも前側に所定間隔を置いて複数（図示例によれば３つ）設けられる。
中央玉部３４は、中央部Ｘの近傍に、単数設けられる。
後側玉部３５は、中央部Ｘよりも後側に所定間隔を置いて複数（図示例によれば２つ）設けられる。
これら前側玉部３３，３４，３５の配置間隔は、図示例によれば一定間隔としているが、適宜に異ならせることも可能である。
【００３０】
次に上記構成の筆記具Ａ及び筆記具用クリップ構造１について、その特徴的な作用効果を詳細に説明する。
操作片部３２を軸筒１０側へ押動する操作により、前側延設部３０ａの複数の玉部３３，３４，３５と、軸筒１０外周面との間に、被挟持物Ｍが挟み込まれると、複数の玉部３３，３４，３５がそれぞれ被挟持物Ｍに圧接される。
特に、後寄りに位置する後側玉部３５は、その前側の玉部３３，３４よりも強く被挟持物Ｍに圧接される。
すなわち、付勢部材２０の付勢力による圧接力は、梃子の原理により、支点部Ｐからの距離が短いほど強く、支点部Ｐからの距離が長いほど弱い。このため、後側に位置する玉部の方がその前側に位置する玉部よりも強く軸筒１０に圧接される。
【００３１】
したがって、後側玉部３５と軸筒１０外周面との間に被挟持物Ｍ（例えば肩のポケット等）を挟んだ状態で、運搬員等が、激しく動いた場合や、筆記具Ａを運搬物に接触させた場合等でも、筆記具Ａが被挟持物Ｍから抜け難い。
仮に、筆記具Ａが抜けかけて後側玉部３５が被挟持物Ｍに接触しなくなった場合でも、後側玉部３５よりも前側に位置する前側玉部３３及び中央玉部３４等が軸筒１０との間に被挟持物Ｍを挟み込むので、筆記具Ａが被挟持物Ｍから完全に脱落してしまうのを防ぐことができる。
【００３２】
次に本発明に係る筆記具用クリップ構造の他例について説明する。以下に示す筆記具用クリップ構造は、上述した筆記具用クリップ構造１の一部を変更したものであるため、主にその変更部分について詳述し、略同様に機能する部分については、同一の符合を付けて重複する詳細説明を省略する。
【００３３】
＜第２の実施態様＞
図５及び図６に示す筆記具用クリップ構造２は、上記筆記具用クリップ構造１における複数の玉部３３，３４，３５を、複数の玉部３６に置換してクリップ本体３０’を構成している。
【００３４】
複数の玉部３６のうち、前側に位置する玉部３６は、その後側に位置する玉部３６よりも、クリップ本体３０’の裏面からの突出高さｈが大きい。
すなわち、複数の玉部３６は、前に位置するものほど突出高さｈが大きくなっている。
そして、突出高さｈの高さが異なる複数の玉部３６は、それぞれ、上述した玉部３３，３４，３５と同様に、ガイド傾斜面ａ，掛止面ｂ，凹曲面部ｃ等を有する。
【００３５】
複数の玉部３６は、被挟持物を挟まない状態では、図５に示すように、最前側の玉部３６のみが軸筒１０の外周面に接触し、この玉部３６よりも後側の玉部３６は軸筒１０の外周面から離れている。
そして、複数の玉部３６は、図６に示すように、特定の厚みを有する被挟持物Ｍ’を挟んだ際に、全ての玉部３６の突端が被挟持物Ｍ’の表面に接触するように、その突出高さｈがそれぞれ設定されている。
被挟持物Ｍ’は、比較的厚みが大きいものを想定しており、例えば、運送業者運搬員の作業着のポケット等とする。
【００３６】
よって、上記筆記具用クリップ構造２を備えた筆記具によれば、被挟持物Ｍ’を挟持した際に、全ての玉部３６を略均等に被挟持物Ｍ’に圧接させることができ、ひいては、筆記具が被挟持物Ｍ’から外れてしまうのを効果的に防ぐことができる。
【００３７】
＜第３の実施態様＞
図７に示す筆記具用クリップ構造３は、上記筆記具用クリップ構造１において、軸筒１０を軸筒１０’に置換したものである。
軸筒１０’は、その外周面に、複数の玉部３３，３４，３５に対しそれぞれ嵌り合う複数の凹部１１を有する。
複数の凹部１１は、複数の玉部３３，３４，３５と同ピッチとなるように、軸筒軸方向に間隔を置いて設けられる。
【００３８】
各凹部１１は、対応する玉部３３（３４又は３５）に嵌り合うように、軸筒１０’の周方向において部分的に設ければよいが、軸筒１０’の全周に設けることも可能である。
各凹部１１の底面は、周方向において、各玉部３３（３４又は３５）の凹曲面部ｃに沿う凸曲面状に形成されている。
【００３９】
よって、筆記具用クリップ構造３を備えた筆記具によれば、挟持される被挟持物が、各玉部３３（３４又は３５）と、対応する各凹部１１との間に挟まれて、湾曲に撓む。このため、筆記具が被挟持物Ｍ’から外れてしまうのを、より効果的に防ぐことができる。
【００４０】
なお、上記実施の形態によれば、特に好ましい一例として中央部Ｘの前後にわたって複数の玉部３３，３４，３５を設けたが、他例としては、中央部Ｘの前側と後側にそれぞれ単数の玉部を設けた態様や、中央部Ｘの前側に単数の玉部を設けるとともに同中央部Ｘの後側には複数の玉部を設けた態様、中央部Ｘの前側に複数の玉部を設けるとともに同中央部Ｘの後側には単数の玉部を設けた態様等とすることも可能である。
【００４１】
また、上記実施の形態によれば、クリップ本体３０（又は３０’）を、軸筒（１０又は１０’）に対し、凹凸状に嵌め合わせて枢支したが、クリップ本体の支持構造は上記したものに限定されず、例えば、軸部材を用いてクリップ本体３０を回動させる態様等とすることが可能である。
【００４２】
また、上記実施の形態によれば、Ｕ字板バネ状の付勢部材２０によりクリップ本体３０を閉鎖方向へ付勢したが、他例としては、クリップ本体３０における支点部Ｐよりも後側を圧縮コイルバネ状の付勢部材により径方向外側へ付勢する態様や、クリップ本体３０における支点部Ｐよりも前側を引張コイルバネ状の付勢部材により径方向内側へ付勢する態様等とすることも可能である。
【００４３】
また、上記筆記具用クリップ構造２（図５及び図６参照）によれば、玉部３６を中央部Ｘの前後にわたって複数設けたが、他例としては、中央部Ｘの前側又は後側のみに突出高さｈが前方へゆくにしたがって高くなる突出高さｈを設けた態様とすることも可能である。このようにした場合でも、複数の玉部３６を略均等に被挟持物に圧接させるという作用効果を得ることができる。
【００４４】
また、本発明は上述した実施の形態に限定されず、本発明の要旨を変更しない範囲で適宜変更可能である。
【符号の説明】
【００４５】
１，２，３：筆記具用クリップ構造
３０，３０’：クリップ本体
２０：付勢部材
１０，１０’：軸筒
３０ａ：前側延設部
３３，３４，３５，３６：玉部
Ａ：筆記具
Ｐ：支点部
Ｍ，Ｍ’；被挟持物
Ｘ：中央部
ａ：ガイド傾斜面
ｂ：掛止面
ｃ：凹曲面部
ｈ：突出高さ
【図１】
2019107778.tif 000003
【図２】
2019107778.tif 000004
【図３】
2019107778.tif 000005
【図４】
2019107778.tif 000006
【図５】
2019107778.tif 000007
【図６】
2019107778.tif 000008
【図７】
2019107778.tif 000009